(57)【要約】【課題】複数の撮影画像を用いたアルバム冊子を作製するためのアルバム頁シートを出力する写真プリント装置とそのような写真プリント装置のためのプログラムを提供する。【解決手段】複数の撮影画像を用いたアルバム冊子を作製するためのアルバム頁シートを出力する写真プリント装置は、メモリ１１に記憶された撮影画像にアルバム冊子における頁番号を割り当てる頁番号設定部２と、頁番号とメモリ１１に記憶された撮影画像との対応関係を記憶する頁番号リンク部３と、頁番号リンク部３に記憶された対応関係に基づいて頁番号と撮影画像とを形成したアルバム頁シート出力のためのプリントデータを作成するプリントデータ生成部４と、を備える。【選択図】図３
2008092448.tif 000002
【特許請求の範囲】
【請求項１】
複数の撮影画像を用いたアルバム冊子を作製するためのアルバム頁シートを出力する写真プリント装置において、
メモリに記憶された前記撮影画像に前記アルバム冊子における頁番号を割り当てる頁番号設定部と、前記頁番号とメモリに記憶された前記撮影画像との対応関係を記憶する頁番号リンク部と、前記頁番号リンク部に記憶された前記対応関係に基づいて頁番号と前記撮影画像とを形成したアルバム頁シート出力のためのプリントデータを作成するプリントデータ生成部と、を備えていることを特徴とする写真プリント装置。
【請求項２】
前記頁番号設定部がプレジャッジ画面を通じて前記頁番号を前記撮影画像に手動で割り当てる手動モードを備えていることを特徴とする請求項１に記載の写真プリント装置。
【請求項３】
前記頁番号設定部が所定の付与条件に基づいて前記頁番号を前記撮影画像に自動的に割り当てる自動モードを備えていることを特徴とする請求項１に記載の写真プリント装置。
【請求項４】
前記付与条件が前記撮影画像の撮影日時又は撮影場所或いはその両方であることを特徴とする請求項３に記載の写真プリント装置。
【請求項５】
前記撮影画像の縮小画像が前記頁番号順に一覧形成されたインデックス頁シートが前記アルバム頁シートとして出力されることを特徴とする請求項１から４のいずれか一項に記載の写真プリント装置。
【請求項６】
前記アルバム頁シートはその一方側端部に配置された綴じ代用余白領域と、その他方側端部に配置された頁めくり用余白領域と、少なくとも１つの前記撮影画像を形成する画像形成領域とに区画されていることを特徴とする請求項１から５のいずれか一項に記載の写真プリント装置。
【請求項７】
前記綴じ代用余白領域には前記画像形成領域に形成される撮影画像の縮小画像が形成される縮小画像形成領域が含まれていることを特徴とする請求項６に記載の写真プリント装置。
【請求項８】
複数の撮影画像を用いたアルバム冊子を作製するためのアルバム頁シートを出力するために、
メモリに記憶された前記撮影画像に前記アルバム冊子における頁番号を割り当てる頁番号設定機能と、前記頁番号とメモリに記憶された前記撮影画像との対応関係を記憶する頁番号リンク機能と、前記頁番号リンク機能に記憶された前記対応関係に基づいて頁番号と前記撮影画像とを形成したアルバム頁シート出力のためのプリントデータを作成するプリントデータ生成機能と、をコンピュータに実行させることを特徴とするコンピュータプログラム。
【発明の詳細な説明】
【技術分野】
【０００１】
本発明は、複数の撮影画像を用いたアルバム冊子を作製するためのアルバム頁シートを出力する写真プリント装置とそのような写真プリント装置のためのプログラムに関する。
【背景技術】
【０００２】
従来から、ネガフィルム等の写真フィルムに形成された撮影画像のみならず、デジタルカメラによって取得されたデジタル画像からなる撮影画像を使用し、多数頁から構成されるアルバム冊子を作成するためのアルバム頁シートとしての写真プリントを出力する写真プリント装置が広く知られている。更には、写真プリント装置で出力した写真プリントの一端側に設けられた余白部分に複数の孔を穿設し、この孔にバインダーを挿通することによりアルバム状に綴じる技術も知られている（例えば、特許文献１参照）。これまでの写真プリント装置では、撮影画像を形成した写真プリントをアルバム頁シートとして使用する場合その頁順は意識されておらず一般的には撮影コマ順に出力される。しかしながら、ユーザーによっては撮影場所別や被写体別等、種々の個人的な条件によりアルバム冊子における頁の並びを設定したいという希望がある。そのような場合、出力された写真プリントをアルバム頁シートとしてアルバム冊子を作製する際に撮影場所や被写体別等のようなユーザーが希望する並びに並べ替える必要があり、手間がかかる。
【０００３】
【特許文献１】特開２００２−４９１０６号公報（段落番号００１１等）
【発明の開示】
【発明が解決しようとする課題】
【０００４】
本発明の目的は、複数の撮影画像を用いたアルバム冊子を作製するためのアルバム頁シートを出力する写真プリント装置において、簡単に所望の並びでアルバム冊子を作製できる技術を提供することにある。
【課題を解決するための手段】
【０００５】
上記目的を達成するための本発明に係る、複数の撮影画像を用いたアルバム冊子を作製するためのアルバム頁シートを出力する写真プリント装置の特徴は、メモリに記憶された前記撮影画像に前記アルバム冊子における頁番号を割り当てる頁番号設定部と、前記頁番号とメモリに記憶された前記撮影画像との対応関係を記憶する頁番号リンク部と、前記頁番号リンク部に記憶された前記対応関係に基づいて頁番号と前記撮影画像とを形成したアルバム頁シート出力のためのプリントデータを作成するプリントデータ生成部と、を備えている点にある。
【０００６】
この構成によれば、メモリに記憶された撮影画像に頁番号を割り当てた情報をもたせることができ、撮影画像と頁番号を形成したアルバム頁シートを作製できるので、ユーザーの所望通りにアルバム頁シートが並んだアルバム冊子を簡単に作製することができる。
【０００７】
また、前記頁番号設定部がプレジャッジ画面を通じて前記頁番号を前記撮影画像に手動で割り当てる手動モードを備えている構成とすると好適である。
【０００８】
更には、前記頁番号設定部が所定の付与条件に基づいて前記頁番号を前記撮影画像に自動的に割り当てる自動モードを備え、前記付与条件が前記撮影画像の撮影日時又は撮影場所或いはその両方である構成とすることも好適である。
【０００９】
このような構成とすれば、手動モードにおいてはプレジャッジ画面でコマ単位の頁番号を任意に設定するだけでその頁番号が形成されたアルバム頁シートを出力することができる。一方、自動モードにおいては頁番号の付与条件に基づき頁番号が形成されたアルバム頁シートが出力されるので、アルバム冊子の作製がスムーズとなる。
【００１０】
また、前記撮影画像の縮小画像が前記頁番号順に一覧形成されたインデックス頁シートが前記アルバム頁シートとして出力される構成とすると好適である。
【００１１】
このような構成とすれば、アルバム頁シートをアルバム冊子から抜き取った際にインデックス頁シートを参照することにより、その箇所に元々どのような画像があったのかを容易に確認することが可能となる。
【００１２】
また、前記アルバム頁シートはその一方側端部に配置された綴じ代用余白領域と、その他方側端部に配置された頁めくり用余白領域と、少なくとも１つの前記撮影画像を形成する画像形成領域とに区画されている構成とし、前記綴じ代用余白領域には前記画像形成領域に形成される撮影画像の縮小画像が形成される縮小画像形成領域が含まれている構成とすると更に好適である。
【００１３】
このような構成とすれば、写真プリントをバインダーから切り離すことができるように画像形成領域と綴じ代用余白領域との間に設けたミシン目で切り離した場合に、この縮小画像を確認することにより、その箇所に元々どのような画像が綴じられていたのかを容易に確認することが可能となる。
【００１４】
また、本発明は、複数の撮影画像を用いたアルバム冊子を作製するためのアルバム頁シートを出力するとともに、メモリに記憶された前記撮影画像に前記アルバム冊子における頁番号を割り当てる頁番号設定機能と、前記頁番号とメモリに記憶された前記撮影画像との対応関係を記憶する頁番号リンク機能と、前記頁番号リンク機能に記憶された前記対応関係に基づいて頁番号と前記撮影画像とを形成したアルバム頁シート出力のためのプリントデータを作成するプリントデータ生成機能と、をコンピュータに実行させることができる。
【００１５】
このように構成された写真プリントプログラムも上述した本発明の対象としての写真プリント装置と比べて、実質的な特徴構成には相違はなく、上述した作用効果を得ることが可能である。
【発明を実施するための最良の形態】
【００１６】
以下、本発明の実施例を図面に基づいて説明する。
本発明に係る、アルバム冊子を作製するためのアルバム頁シートを出力する写真プリント装置の概観図を図１に示す。この写真プリント装置は、印画紙Ｐに対して露光処理と現像処理とを行う写真プリンタとしてのプリントステーション１００と、現像済み写真フィルム２０ａやメモリカード２０ｂ等の画像記録メディアから取り込んだ撮影画像を処理してプリントステーション１００で使用されるプリントデータの生成、及び転送等を行う操作ステーション１０１とから構成されている。
【００１７】
この写真プリント装置から出力される写真プリントＰの内、図２で示すようにアルバム冊子として製本するための綴じ代となる余白部分を一端側に設けて撮影画像を組み込んだものをアルバム頁シートという。なお、図２からも明らかなように、複数のアルバム頁シートの余白部分に複数の孔を穿設し、この孔にバインダーを挿通して纏め、適当な表紙、裏表紙、背表紙を取り付けると、美観に優れ、保管性の良いアルバム冊子を作製することができる。詳細説明は後述するが、頁番号は図２の通りアルバム頁シートの余白部分に形成される。ここでは、アルバム頁シートの左下部に形成されることとしているがこれは単なる一例であり、左下部に限らずアルバム頁シート内に形成することは当然に可能である。
【００１８】
この写真プリント装置のプリントコントローラ１は、ＣＰＵを中核部材として写真プリントに関する種々の動作を行うための機能部をハードウェア又はソフトウェア或いはその両方で構築している。図３は本発明に特に関係する操作ステーション１０１に組み込まれたプリントコントローラ１の機能部の構成を模式的に示すブロック図である。アルバム冊子を構成するアルバム頁シートに使用される撮影画像は、メモリカード２０ｂを介してプリントコントローラ１に入力される。メモリカード２０ｂに格納されている画像データは、プリントコントローラ１が備える画像データ入力部１０により読み取られ、メモリ１１に記憶される。この画像データは、図４のようにファイル番号やファイル名等を含むファイル情報と、コマ番号、撮影画像の画素数、圧縮形式の種類、撮影日時、撮影場所等を含むタグ情報と、その撮影画像の縮小画像と、画像データと、を含むＥｘｉｆ（Exchangeable Image File Format）形式で記憶されたものである。
【００１９】
プリントコントローラ１への撮影画像の入力は、上述の通り、メモリカード２０ｂによるものとしているが特にこれに限定されるものではなく、写真フィルム２０ａによる入力や、プリントコントローラ１とカメラとを直接ケーブル等で接続して読み取ることも当然に可能である。また、本発明では、特に区別する必要がない限り、プリントコントローラ１によって各段階で使用される撮影画像や画像データを「撮影画像」という語句で総称する。
【００２０】
ユーザーは、プリントコントローラ１が備えるキーボード１６やマウス１７やタッチパネル１８を使用してプリントコントローラ１に処理を命令することができ、メモリ１１に記憶された撮影画像はモニタ１９に表示されるプレジャッジ画面で確認することができる。プレジャッジ画面はプレジャッジ画面生成部１２によって生成されるが、公知技術であるので詳細説明は省略する。
【００２１】
プリントコントローラ１が備える頁番号設定部２は、プレジャッジ画面に表示されるメモリ１１に記憶されている撮影画像を形成したシートに対してアルバム冊子における頁番号の設定を行うことができる。この頁番号設定部２で設定できる割り当てモードは、ユーザーが所望する頁番号を割り当てることができる手動モードと、所定の付与条件に基づき頁番号を自動的に割り当てる自動モードとを備えている。この自動モードの付与条件は、撮影日時別に並べ替えて頁番号を割り当てる撮影日時、又は撮影場所別に並べ替えて頁番号を割り当てる撮影場所、或いはその両方とすると好適であり、キーボード１６やマウス１７やタッチパネル１８を使用してユーザーが設定することが可能である。
【００２２】
頁番号設定部２で割り当てられた頁番号は、頁番号リンク部３により撮影画像とともに頁番号情報としてメモリ１１に追加記憶される。この頁番号リンク部３は頁番号等のアルバム頁シートの写真プリント情報を管理するプリント管理部１３にも頁番号情報を出力する。プリント管理部１３はプレジャッジ画面生成部１２と頁番号リンク部３とからの出力情報に基づき、プリントデータ生成部４に写真プリントの構成情報を出力する。その構成情報に基づきプリントデータ生成部４で生成されたプリントデータはプリントステーション１００が備えるプリント出力部１４に送られ、そこで撮影画像とその撮影画像に割り当てられた頁番号を形成した写真プリントがアルバム頁シートとして出力される。したがって、ユーザーはその頁番号に基づきアルバム頁シートを頁番号順に並べ替えることにより、アルバム頁シートの整理をすることができ、アルバム冊子の作製を容易にすることが可能である。
【００２３】
次に頁番号の割り当てに関して説明する。図５は本実施形態に使用されるプレジャッジ画面の一例である。プレジャッジ画面３０は、メモリ１１に記憶されている撮影画像の確認のため撮影画像表示枠３１に順次表示される。図５では表示コマを６コマ表示としているが、プレジャッジ画面生成部１２の設定により表示コマ数を変更することは当然に可能である。各撮影画像表示枠３１の上側には、この撮影画像表示枠３１に表示されている撮影画像のコマ番号又は画像データのファイル名を表示するコマ識別表示欄３２が配置され、下側にはプリント枚数設定エリア３３が配置されている。このプリント枚数設定エリア３３にはプリント枚数を入力する入力枠が設けられており、この入力枠に「パス」が表示された場合その撮影画像はプリント対象外となっていることを意味する。プレジャッジ画面３０の下方には現在表示されている撮影画像の次、或いは前の撮影画像を表示させるための変更カーソル３４を備えている。更には、頁番号割り当て条件表示欄３５に頁番号の割り当てを自動モード又は手動モードのどちらで行うかを選択するモード選択ボタン３６が配置されている。
【００２４】
プレジャッジ画面３０で手動モードが選択されると、図６の頁番号割り当て画面４０がモニタ１９に表示される。この頁割り当て画面４０では撮影画像表示枠４１に撮影画像が表示され、アルバム頁シートに使用する撮影画像を確認することができる。また、撮影画像表示枠４１の上側に頁番号入力枠４２を備え、アルバム冊子における頁番号をユーザーが任意に入力することが可能である。頁番号割り当て画面４０の下側部分には選択した撮影画像表示枠４１の撮影画像が割り当てられた頁番号と画像データのファイル番号が表示される。
【００２５】
手動モードでは、ユーザーが任意に設定した頁番号に基づき、ファイル番号と頁番号情報との対応関係を示すデータがメモリ１１に記憶される。図７はこのデータを模式的に示した図である。この頁番号情報としては、頁番号設定部２で設定された付与条件に基づき割り当てられた頁番号が頁番号リンク部３を介してメモリ１１に記憶される。プリントコントローラ１がアルバム頁シートをプリントする場合には、プリント出力部１４が、撮影画像とその撮影画像に割り当てられた頁番号とを形成した写真プリントをアルバム頁シートとして出力する。
【００２６】
プレジャッジ画面３０で自動モードが選択されると、図示はしないが、頁番号の付与条件を撮影画像の撮影日時又は撮影場所或いはその両方であるかを選択することになる。付与条件を撮影場所とした場合の頁番号が割り当てられた、ファイル番号と頁番号の対応関係を示すデータは図８のようになる。図８は遊園地で撮影した撮影画像を示した例であり、これを使用して説明する。撮影場所が「ジェットコースター」の撮影画像をファイル番号順にファイル番号１の撮影画像を1ページ、ファイル番号２の撮影画像を２ページ、ファイル番号５の撮影画像を３ページ、続いて撮影場所が「観覧車」の撮影画像に対して、ファイル番号３の撮影画像を４ページ、ファイル番号４の撮影画像を５ページとして割り当てられた頁番号情報を記憶している。したがって、この頁番号情報に基づき、頁番号順に対応するファイル番号の撮影画像をプリントデータ生成部４に送り、写真プリントを出力すると、撮影場所別に頁番号を割り当てられたアルバム頁シートから、撮影場所毎に綴じられたアルバム冊子が作製される。なお、ＧＰＳモジュールを備えたカメラで撮影された撮影画像には、前述のようにＧＰＳモジュールにより得られた緯度や経度の情報に基づく撮影位置等の撮影付加情報が図４のようなＥｘｉｆ形式として書き込まれているので、この撮影付加情報を元に撮影場所毎の並べ替えが行われる。
【００２７】
頁番号の割り当てを自動モードの場合に付与条件を撮影日時として頁番号が割り当てられたファイル番号と頁番号の対応関係を示すデータは図９のようになる。図９ではプリントコントローラ１に入力される撮影画像は、撮影に使用していたメモリカードがデータで一杯になり、スペアのメモリカードに差し替えて撮影を行うケースのような異なる複数のメモリに保存した場合や、結婚式等において夫々撮影した参列者から撮影済みのメモリカードを借りた場合を例として、メモリカード２０ｂ、メモリカード２０ｃ、及びメモリカード２０ｄの３枚から入力されるとしている。図９のように複数のメモリカードから撮影画像が入力されたプリントコントローラ１は、各撮影画像に対して異なるファイル名を付けてメモリ１１に記憶している。頁番号情報は上述の撮影場所別の頁番号の割り当てと同様、頁番号設定部２で設定された付与条件に基づき撮影日時順に頁番号が割り当てられる。図９の例では、撮影日時の１番古い撮影画像（ファイル番号１の撮影画像）を1ページ、続いて２番目に古い撮影画像（ファイル番号６の撮影画像）を２ページ、３番目に古い撮影画像（ファイル番号３の撮影画像）を３ページ、として撮影日時が１番新しい撮影画像（ファイル番号９の撮影画像）まで順番に頁番号が割り当てられ、頁番号情報を記憶する。したがって、撮影画像と割り当てられた頁番号とが入ったアルバム頁シートを出力することにより、ユーザーは頁番号に基づきアルバム頁シートを並べ替えることにより、アルバム頁シートの整理をすることができ、撮影日時順に並んだアルバム冊子の作製を容易にすることが可能である。
【００２８】
図７のような手動モードや図８のような自動モードでの撮影場所別の割り当てにおいても、プリントコントローラ１に入力される撮影画像は、メモリカード２０ｂが一つとして説明したが、処理対象となるメモリカード２０ｂを複数とした場合でも本発明の実施は当然に可能である。また、逆に図９のような自動モードでの撮影日時別の割り当てにおいてメモリカード２０ｂから２０ｄとしたが、一つのメモリカード２０ｂとした場合でも本発明の実施は当然に可能である。
【００２９】
その他の実施形態
上記の実施形態においては、プリント出力部１４にて頁番号を付与されたアルバム頁シートが出力され、その番号に基づきユーザーが並べ替えることによりアルバム頁シートを整理するとして説明したがこれに限らない。プリントデータ生成部４が、メモリ１１からアルバム冊子の作製に必要な画像データを割り当てられた頁番号順に読み出し、プリントステーション１００が備えるプリント出力部１４にて頁番号順にアルバム頁シートとして出力することも当然に可能である。
【００３０】
上記の実施形態においては、自動モードにおける頁番号の付与条件を撮影日時又は撮影場所或いはその両方であることとしたが、付与条件はこれに限らない。公知技術である顔検出機能を使用して撮影画像に写っている被写体別に頁番号を割り当てることは当然に可能である。更には撮影方向等の撮影状況を示す情報を各撮影画像に備える構成とすると、撮影状況別に頁番号を割り当てることも当然に可能である。
【００３１】
上記の実施形態においては、自動モードでの撮影場所による頁番号の割り当てについて遊園地を例として説明したが、撮影場所の条件としてはこれに限らない。アトラクション会場やイベント会場等での撮影の場合でも当然に可能であるし、単に別の場所で撮影後、再び元の場所で撮影を行った際の写真プリントのケースであれば当然に可能である。
【００３２】
上記の実施形態においては、アルバム頁シートにプリントされる撮影画像を１枚として説明したがこれに限らない。アルバム頁シートに複数の撮影画像をプリントすることは当然に可能である。頁番号設定部２において複数の撮影画像に同じ頁番号を割り当てることにより、一枚のアルバム頁シートに纏められてレイアウトされることとなる。更に、このレイアウトはユーザーが設定できるようにすることも当然に可能である。
【００３３】
また、プリントコントローラ１の出力は撮影画像の縮小画像が頁番号設定部２により割り当てられた頁番号順に一覧形成されたインデックス頁シートがアルバム頁シートとして出力可能とすると好適である。このようにすると、アルバム頁シートをアルバム冊子から抜き取った際にインデックス頁シートを参照することで、その箇所に元々どのような画像があったのかを容易に確認することが可能となる。
【００３４】
また、アルバム頁シートを図１０のように複数の孔５５を穿設し、この孔５５にバインダーを挿通することが可能な綴じ代用余白領域５０と、撮影画像をプリントするための画像形成領域５１と、頁をめくる際に撮影画像に触れ、傷が付くことを防止する目的で備えられた頁めくり余白領域５２と、を備えたアルバム頁シートにおいて、綴じ代用余白領域５０内に画像形成領域５１の形成された撮影画像の縮小画像をプリントする縮小画像形成領域５３が設けられると好適である。このようにすると、写真プリントをバインダーから切り離すことができるように画像形成領域５１と綴じ代用余白領域５０との間に設けたミシン目５４で切り離した場合に、この縮小画像を確認することにより、その箇所に元々どのような画像が綴じられていたのかを容易に確認することが可能となる。
【００３５】
また、本実施形態では頁番号は写真プリント面となるアルバム頁シートの表面に印字することとしたがこれに限らない。プリント出力部１４に、印画紙Ｐの表面に撮影画像を形成する撮影画像プリント部１４ａとともに、印画紙Ｐの裏面にプリント条件やコマ番号を印字するバックプリント部１４ｂを設け、バックプリントとして印画紙Ｐの裏面に頁番号を印字することも当然に可能である。
【図面の簡単な説明】
【００３６】
【図１】写真プリント装置の概観を示す図
【図２】アルバム冊子の構成を示す図
【図３】プリントコントローラの構成を示すブロック図
【図４】画像データのデータ形式を示す図
【図５】プレジャッジ画面を示す図
【図６】頁番号割り当て画面を示す図
【図７】手動モードにおけるファイル番号と頁番号の対応関係を示す図
【図８】撮影場所を条件とした場合のファイル番号と頁番号の対応関係を示す図
【図９】撮影日時を条件とした場合のファイル番号と頁番号の対応関係を示す図
【図１０】その他の実施形態におけるアルバム頁シートの構成を示す図
【符号の説明】
【００３７】
１：プリントコントローラ
２：頁番号設定部
３：頁番号リンク部
４：プリントデータ生成部
１０：画像データ入力部
１１：メモリ
１２：プレジャッジ画面生成部
１３：プリント管理部
１４：プリント出力部
１９：モニタ
２０ａ：写真フィルム
２０ｂ：メモリカード
３０：プレジャッジ画面
１００：プリントステーション
１０１：操作ステーション
Ｐ：印画紙（写真プリント）
【図１】
2008092448.tif 000003
【図２】
2008092448.tif 000004
【図３】
2008092448.tif 000005
【図４】
2008092448.tif 000006
【図５】
2008092448.tif 000007
【図６】
2008092448.tif 000008
【図７】
2008092448.tif 000009
【図８】
2008092448.tif 000010
【図９】
2008092448.tif 000011
【図１０】
2008092448.tif 000012